【手続補正書】
【提出日】平成25年10月11日(2013.10.11)
【手続補正１】
【補正対象書類名】特許請求の範囲
【補正対象項目名】全文
【補正方法】変更
【補正の内容】
【特許請求の範囲】
【請求項１】
携帯通信端末と、サービスを提供するサービス提供装置と、前記サービス提供装置を管理するサーバを備えたサービス提供システムであって、
前記サービス提供装置は、チャレンジを用いてレスポンスの計算を行い、
前記携帯通信端末は、前記サービス提供装置において正当性検査対象である検査対象サービス提供装置への前記サーバで生成されたチャレンジの送信と、該送信したチャレンジを用いて前記検査対象サービス提供装置で算出されたレスポンスに基づいた正当性に関する情報の提示を行うサービス提供システム。
【請求項２】
携帯通信端末と、サービスを提供するサービス提供装置と、前記サービス提供装置を管理するサーバを備えたサービス提供システムのサービス提供方法であって、
前記サービス提供装置において、チャレンジを用いてレスポンスの計算を行う工程と、
前記携帯通信端末において、前記サービス提供装置において正当性検査対象である検査対象サービス提供装置へ前記サーバで生成されたチャレンジを送信する工程と、
前記携帯通信端末において、前記送信したチャレンジを用いて前記検査対象サービス提供装置で計算されたレスポンスに基づいた正当性に関する情報を提示する工程と
を設けたサービス提供方法。
【請求項３】
現在位置を示す位置情報を生成する位置情報生成部と、
サービスを提供するサービス提供装置およびサービス提供装置を管理するサーバと通信を行う通信部と、
前記サービス提供装置において正当性検査対象である検査対象サービス提供装置への前記サーバで生成されたチャレンジの送信と、該送信したチャレンジを用いて前記検査対象サービス提供装置で算出されたレスポンスに基づいた正当性に関する情報を提示する制御部と
を有する携帯通信端末。
【請求項４】
前記制御部は、前記現在位置を示す位置情報を前記サーバに送信したことに応じて該サーバから供給されたチャレンジを前記検査対象サービス提供装置に送信し、該チャレンジを送信したことに応じて該検査対象サービス提供装置から供給されたレスポンスを前記サーバに送信し、該レスポンスを送信したことに応じて該サーバから供給された前記正当性に関する情報を提示する
請求項３記載の携帯通信端末。
【請求項５】
前記制御部は、前記現在位置を示す位置情報を前記サーバに送信したことに応じて該サーバから供給されたチャレンジを前記検査対象サービス提供装置に送信し、該チャレンジを前記検査対象サービス提供装置に送信したことに応じて該検査対象サービス提供装置から供給されたレスポンスと前記サーバから供給された期待値を用いて前記検査対象サービス提供装置の正当性を検査して、正当性に関する情報を提示する
請求項３記載の携帯通信端末。
【請求項６】
サービスを提供するサービス提供装置と携帯通信端末と通信を行う通信部と、
前記携帯通信端末から供給された位置情報で示された位置にサービス提供装置が設けられている場合にチャレンジを前記携帯通信端末に送信し、該携帯通信端末から供給されたレスポンスに基づき前記位置情報で示された位置に設けられている正当性検査対象である検査対象サービス提供装置の正当性を検査して、正当性に関する情報を前記携帯通信端末に送信する制御部と
を有するサーバ。
【請求項７】
前記制御部は、前記検査対象サービス提供装置に対応したチャレンジを前記携帯通信端末に送信し、前記携帯通信端末から供給されたレスポンスに基づき、前記検査対象サービス提供装置の正当性を検査して、正当性に関する情報を前記携帯通信端末に送信する請求項６記載のサーバ。
【請求項８】
前記制御部は、前記検査対象サービス提供装置において鍵情報と前記チャレンジを用いて算出したレスポンスと共に該検査対象サービス提供装置の固有識別情報を取得し、該固有識別情報から鍵情報を判別して、該判別した鍵情報と前記送信したチャレンジを用いて算出したレスポンスと前記検査対象サービス提供装置で算出されたレスポンスを比較して、検査対象サービス提供装置の正当性を検査する請求項７記載のサーバ。
【請求項９】
前記制御部は、前記位置情報で示された位置にあるサービス提供装置に対応したチャレンジと、該チャレンジを用いて前記位置情報で示された位置にあるサービス提供装置で算出されるレスポンスを示す期待値を前記携帯通信端末に送信する
請求項６記載のサーバ。
【請求項１０】
前記制御部は、前記携帯通信端末によって該携帯通信端末と前記検査対象サービス提供装置との通信が可能であることが示されない場合、前記携帯通信端末と前記位置情報で示された位置にある前記サービス提供装置に対して、正当性をユーザで判別可能とする認証情報を送信する
請求項６記載のサーバ。
【請求項１１】
携帯通信端末と、サービスを提供するサービス提供装置と、前記サービス提供装置を管理するサーバを備えたサービス提供システムであって、
前記サーバは、チャレンジを用いてレスポンスを計算する第１のプログラムと、前記サービス提供装置において正当性検査対象である検査対象サービス提供装置で前記第１のプログラムを実行させて算出されるレスポンスを用いて、前記検査対象サービス提供装置の正当性を検査する第２のプログラムを、前記携帯通信端末に送信し、
前記携帯通信端末は、前記第２のプログラムを実行して、チャレンジと前記第１のプログラムを前記検査対象サービス提供装置に送信したことに応じて該検査対象サービス提供装置から供給されたレスポンスを用いて、前記検査対象サービス提供装置の正当性を検査し、
前記検査対象サービス提供装置は、前記携帯通信端末から供給された第１のプログラムを実行して前記チャレンジを用いてレスポンスの計算を行い、算出したレスポンスを前記携帯通信端末に送信するサービス提供システム。
【請求項１２】
携帯通信端末と、サービスを提供するサービス提供装置と、前記サービス提供装置を管理するサーバを備えたサービス提供システムのサービス提供方法であって、
前記サーバにおいて、チャレンジを用いてレスポンスを計算する第１のプログラムと、前記サービス提供装置において正当性検査対象である検査対象サービス提供装置で前記第１のプログラムを実行させて算出されるレスポンスを用いて、前記検査対象サービス提供装置の正当性を検査する第２のプログラムを、前記携帯通信端末に送信する工程と、
前記携帯通信端末において、前記第２のプログラムを実行して、チャレンジと前記第１のプログラムを前記検査対象サービス提供装置に送信したことに応じて該検査対象サービス提供装置から供給されたレスポンスを用いて、前記検査対象サービス提供装置の正当性を検査する工程と、
前記検査対象サービス提供装置において、前記携帯通信端末から供給された第１のプログラムを実行して前記チャレンジを用いてレスポンスの計算を行い、算出したレスポンスを前記携帯通信端末に送信する工程と
を設けたサービス提供方法。
【請求項１３】
サービスを提供するサービス提供装置およびサービス提供装置を管理するサーバと通信を行い、チャレンジを用いてレスポンスを計算する第１のプログラムと、前記サービス提供装置において正当性検査対象である検査対象サービス提供装置で前記第１のプログラムを実行させて算出されるレスポンスを用いて、前記検査対象サービス提供装置の正当性を検査する第２のプログラムを取得する通信部と、
前記第２のプログラムを実行して、チャレンジと前記第１のプログラムを前記検査対象サービス提供装置に送信したことに応じて前記検査対象サービス提供装置から供給されたレスポンスを用いて前記検査対象サービス提供装置の正当性の検査を行い正当性に関する情報の提示を行う制御部と
を有する携帯通信端末。
【請求項１４】
前記制御部は、現在位置に対応する検査対象サービス提供装置が前記サーバから取得した正当なサービス提供装置の位置を示すリストに含まれていない場合、正当でないサービス提供装置と判別する請求項１３記載の携帯通信端末。
【請求項１５】
サービスを提供するサービス提供装置を管理するサーバであって、
携帯通信端末と通信を行う通信部と、
前記携帯通信端末からの要求に応じて、チャレンジを用いてレスポンスを計算する第１のプログラムと、前記サービス提供装置において正当性検査対象である検査対象サービス提供装置で前記第１のプログラムを実行させて算出されるレスポンスを用いて、前記検査対象サービス提供装置の正当性を検査する第２のプログラムとを提供する制御部と
を有するサーバ。
【請求項１６】
前記制御部は、前記第１のプログラムと前記第２のプログラムと共に正当なサービス提供装置の位置を示すリストを前記携帯通信端末に送信する
請求項１５記載のサーバ。
【手続補正２】
【補正対象書類名】明細書
【補正対象項目名】０００９
【補正方法】変更
【補正の内容】
【０００９】
この発明の第１の側面は、携帯通信端末と、サービスを提供するサービス提供装置と、前記サービス提供装置を管理するサーバを備えたサービス提供システムであって、前記サービス提供装置は、チャレンジを用いてレスポンスの計算を行い、前記携帯通信端末は、前記サービス提供装置において正当性検査対象である検査対象サービス提供装置への前記サーバで生成されたチャレンジの送信と、該送信したチャレンジを用いて前記検査対象サービス提供装置で算出されたレスポンスに基づいた正当性に関する情報の提示を行うサービス提供システムにある。
【手続補正３】
【補正対象書類名】明細書
【補正対象項目名】００１３
【補正方法】変更
【補正の内容】
【００１３】
この発明の第２の側面は、携帯通信端末と、サービスを提供するサービス提供装置と、前記サービス提供装置を管理するサーバを備えたサービス提供システムのサービス提供方法であって、前記サービス提供装置において、チャレンジを用いてレスポンスの計算を行う工程と、前記携帯通信端末において、前記サービス提供装置において正当性検査対象である検査対象サービス提供装置へ前記サーバで生成されたチャレンジを送信する工程と、前記携帯通信端末において、前記送信したチャレンジを用いて前記検査対象サービス提供装置で計算されたレスポンスに基づいた正当性に関する情報を提示する工程とを設けたサービス提供方法にある。
【手続補正４】
【補正対象書類名】明細書
【補正対象項目名】００１４
【補正方法】変更
【補正の内容】
【００１４】
この発明の第３の側面は、現在位置を示す位置情報を生成する位置情報生成部と、サービスを提供するサービス提供装置およびサービス提供装置を管理するサーバと通信を行う通信部と、前記サービス提供装置において正当性検査対象である検査対象サービス提供装置への前記サーバで生成されたチャレンジの送信と、該送信したチャレンジを用いて前記検査対象サービス提供装置で算出されたレスポンスに基づいた正当性に関する情報の提示を行わせる制御部とを有する携帯通信端末にある。
【手続補正５】
【補正対象書類名】明細書
【補正対象項目名】００１５
【補正方法】変更
【補正の内容】
【００１５】
この発明の第４の側面は、サービスを提供するサービス提供装置と携帯通信端末と通信を行う通信部と、前記携帯通信端末から供給された位置情報で示された位置にサービス提供装置が設けられている場合にチャレンジを前記携帯通信端末に送信し、該携帯通信端末から供給されたレスポンスに基づき前記位置情報で示された位置に設けられているサービス提供装置の正当性を検査して、正当性に関する情報を前記携帯通信端末に送信する制御部とを有するサーバにある。
【手続補正６】
【補正対象書類名】明細書
【補正対象項目名】００１６
【補正方法】変更
【補正の内容】
【００１６】
この発明の第５の側面は、携帯通信端末と、サービスを提供するサービス提供装置と、前記サービス提供装置を管理するサーバを備えたサービス提供システムであって、前記サーバは、チャレンジを用いてレスポンスを計算する第１のプログラムと、前記サービス提供装置において正当性検査対象である検査対象サービス提供装置で前記第１のプログラムを実行させて算出されるレスポンスを用いて、前記検査対象サービス提供装置の正当性を検査する第２のプログラムを、前記携帯通信端末に送信し、前記携帯通信端末は、前記第２のプログラムを実行して、チャレンジと前記第１のプログラムを前記検査対象サービス提供装置に送信したことに応じて該検査対象サービス提供装置から供給されたレスポンスを用いて、前記検査対象サービス提供装置の正当性を検査し、前記検査対象サービス提供装置は、前記携帯通信端末から供給された第１のプログラムを実行して前記チャレンジを用いてレスポンスの計算を行い、算出したレスポンスを前記携帯通信端末に送信するサービス提供システムにある。
【手続補正７】
【補正対象書類名】明細書
【補正対象項目名】００１８
【補正方法】変更
【補正の内容】
【００１８】
この発明の第６の側面は、携帯通信端末と、サービスを提供するサービス提供装置と、前記サービス提供装置を管理するサーバを備えたサービス提供システムのサービス提供方法であって、前記サーバにおいて、チャレンジを用いてレスポンスを計算する第１のプログラムと、前記サービス提供装置において正当性検査対象である検査対象サービス提供装置で前記第１のプログラムを実行させて算出されるレスポンスを用いて、前記検査対象サービス提供装置の正当性を検査する第２のプログラムを、前記携帯通信端末に送信する工程と、前記携帯通信端末において、前記第２のプログラムを実行して、チャレンジと前記第１のプログラムを前記検査対象サービス提供装置に送信したことに応じて該検査対象サービス提供装置から供給されたレスポンスを用いて、前記検査対象サービス提供装置の正当性を検査する工程と、前記検査対象サービス提供装置において、前記携帯通信端末から供給された第１のプログラムを実行して前記チャレンジを用いてレスポンスの計算を行い、算出したレスポンスを前記携帯通信端末に送信する工程とを設けたサービス提供方法にある。
【手続補正８】
【補正対象書類名】明細書
【補正対象項目名】００１９
【補正方法】変更
【補正の内容】
【００１９】
この発明の第７の側面は、サービスを提供するサービス提供装置およびサービス提供装置を管理するサーバと通信を行い、チャレンジを用いてレスポンスを計算する第１のプログラムと、前記サービス提供装置において正当性検査対象である検査対象サービス提供装置で前記第１のプログラムを実行させて算出されるレスポンスを用いて、前記検査対象サービス提供装置の正当性を検査する第２のプログラムを取得する通信部と、前記第２のプログラムを実行して、チャレンジと前記第１のプログラムを前記検査対象サービス提供装置に送信したことに応じて前記検査対象サービス提供装置から供給されたレスポンスを用いて前記検査対象サービス提供装置の正当性の検査を行い正当性に関する情報の提示を行う制御部とを有する携帯通信端末にある。
【手続補正９】
【補正対象書類名】明細書
【補正対象項目名】００２０
【補正方法】変更
【補正の内容】
【００２０】
この発明の第８の側面は、サービスを提供するサービス提供装置を管理するサーバであって、携帯通信端末と通信を行う通信部と、前記携帯通信端末からの要求に応じて、チャレンジを用いてレスポンスを計算する第１のプログラムと、前記サービス提供装置において正当性検査対象である検査対象サービス提供装置で前記第１のプログラムを実行させて算出されるレスポンスを用いて、前記検査対象サービス提供装置の正当性を検査する第２のプログラムとを提供する制御部とを有するサーバにある。
【手続補正１０】
【補正対象書類名】明細書
【補正対象項目名】００２１
【補正方法】変更
【補正の内容】
【００２１】
この発明によれば、正当性検査対象である検査対象サービス提供装置では、チャレンジを用いてレスポンスの計算が行われる。また、携帯通信端末では、検査対象サービス提供装置へのチャレンジの送信と、送信したチャレンジを用いて検査対象サービス提供装置で算出されたレスポンスに基づいた正当性に関する情報の提示が行われる。このため、ユーザは、サービス提供装置が正当であるか否かを容易に判別できる。